(57)【要約】【課題】果実又は種子を採取するのを容易にすることができる果実又は種子の飛散防止部材の生成装置および果実又は種子の収獲装置を提供する。【解決手段】  果実又は種子の収獲装置１００は、果実又は種子の飛散防止部材の生成装置１０を含む。果実又は種子の飛散防止部材の生成装置１０は  噴射部１２を含み、噴射部１２は、噴射材料を糸状に噴射するためのものであり、噴射された噴射材料が果実又は種子に接触すると密着する粘性を有する。噴射材料を収容するための収容部１４を含む場合には、噴射材料は、収容部内１４では液体であり、空気に触れると固化される材質（たとえば乳香）、または、高分子を含み、収容部には、ガスが大気圧よりも高い圧力で封入されていてもよい。噴射部１２は、包囲体１６の内面に設けることができる。【選択図】図１
2019068763.tif 000002
【特許請求の範囲】
【請求項１】
噴射部を含み、
前記噴射部は、前記噴射材料を糸状に噴射するためのものであり、
噴射された噴射材料が果実又は種子に接触すると密着する粘性を有する果実又は種子の飛散防止部材の生成装置。
【請求項２】
請求項１において、
前記噴射部は、その先端が湾曲し、前記噴射材料が弧を描くように、前記噴射材料を噴射する果実又は種子の飛散防止部材の生成装置。
【請求項３】
請求項１または２において、
前記噴射材料を収容するための収容部を含み、
前記噴射材料は、前記収容部内では液体であり、空気に触れると固化される材質からなる果実又は種子の飛散防止部材の生成装置。
【請求項４】
請求項３において、
前記収容部内では液体であり、空気に触れると固化される材質は、乳香である果実又は種子の飛散防止部材の生成装置。
【請求項５】
請求項３において、
前記噴射材料を収容するための収容部を含み、
前記噴射材料は、高分子を含み、
前記収容部には、ガスが大気圧よりも高い圧力で封入されている果実又は種子の飛散防止部材の生成装置。
【請求項６】
請求項５において、
前記高分子は、たんぱく質および高分子樹脂の少なくとも一方である果実又は種子の飛散防止部材の生成装置。
【請求項７】
請求項１〜６のいずれかにおいて、
前記果実又は種子を覆うための包囲体を有し、
前記噴射部は、前記包囲体の内面に設けられている果実又は種子の飛散防止部材の生成装置。
【請求項８】
請求項１〜７のいずれかにおいて、
前記噴射部は、複数有し、
複数の前記噴射部は、前記包囲体の内面に、周状に並んでいる果実又は種子の飛散防止部材の生成装置。
【請求項９】
請求項８において、
周状に並んだ複数の噴射部の群が、複数段設けられている果実又は種子の飛散防止部材の生成装置。
【請求項１０】
棒状体と、
前記棒状体に取り付けられた請求項１〜９のいずれかに記載の果実又は種子の飛散防止部材の生成装置とを含む果実又は種子の収獲装置。
【発明の詳細な説明】
【技術分野】
【０００１】
本発明は、果実又は種子を採取に利用される道具に関する。
【背景技術】
【０００２】
果実収獲具として、果実を網に落として収獲する技術が提案されている（特許文献１参照）。
【先行技術文献】
【特許文献】
【０００３】
【特許文献１】特開２００２−２３８３２９号公報
【発明の概要】
【発明が解決しようとする課題】
【０００４】
本発明の目的は、果実又は種子を採取するのを容易にすることができる果実又は種子の飛散防止部材の生成装置および果実又は種子の収獲装置を提供することにある。
【課題を解決するための手段】
【０００５】
本願発明者は、果実又は種子を採取する際に、噴射材料を果実又は種子を噴霧することで、果実又は種子の飛散を防止することをできるということを想到し、本発明に至った。
【０００６】
本発明の果実又は種子の飛散防止部材の生成装置は、
噴射部を含み、
前記噴射部は、前記噴射材料を糸状に噴射するためのものであり、
噴射された噴射材料が果実又は種子に接触すると密着する粘性を有する。
【０００７】
本発明において、前記噴射部は、その先端が湾曲し、前記噴射材料が弧を描くように、前記噴射材料を噴射することができる。
【０００８】
本発明において、前記噴射材料を収容するための収容部を含み、前記噴射材料は、前記収容部内では液体であり、空気に触れると固化される材質からなることができる。
【０００９】
本発明において、前記収容部内では液体であり、空気に触れると固化される材質は、乳香であることができる。
【００１０】
本発明において、前記噴射材料を収容するための収容部を含み、前記噴射材料は、高分子を含み、前記収容部には、ガスが大気圧よりも高い圧力で封入されていることができる。
【００１１】
本発明において、前記高分子は、たんぱく質および高分子樹脂の少なくとも一方であることができる。
【００１２】
本発明において、前記果実又は種子を覆うための包囲体を有し、前記噴射部は、前記包囲体の内面に設けられていることができる。
【００１３】
本発明において、前記噴射部は、複数有し、複数の前記噴射部は、前記包囲体の内面に、周状に並んでいることができる。
【００１４】
本発明において、周状に並んだ複数の噴射部の群が、複数段設けられていることができる。
【００１５】
本発明の果実又は種子の収獲装置は、
棒状体と、
前記棒状体に取り付けられた本発明の果実又は種子の飛散防止部材の生成装置とを含む。
【図面の簡単な説明】
【００１６】
【図１】実施の形態に係る果実又は種子の飛散防止部材の生成装置を模式的に示す図である。
【図２】果実又は種子の飛散防止部材の生成装置の噴射部および包囲体の構成例を模式的に示す図であり、包囲体の開放されている側から見た図である。
【図３】図２のＡ−Ａ線に沿った断面を模式的に示す図である。
【図４】実施の形態に係る果実又は種子の収獲装置の使用例を示す図である。実施の形態に係る抜根装置の使用時の動作例を模式的に示す図である。
【図５】果実又は種子が噴射材料により纏められた状態を説明するための図である。
【発明を実施するための形態】
【００１７】
以下、本発明の好適な実施の形態について図面を参照しながら説明する。
【００１８】
１．果実又は種子の飛散防止部材の生成装置
実施の形態に係る果実又は種子の飛散防止部材の生成装置（以下「飛散防止部材の生成装置」という）１０は、図２および図３に示すように、噴射材料を糸状に噴射するためのものである噴射部１２を含む。飛散防止部材の生成装置１０は、図１に示すように、必要に応じて、噴射材料を収容するための収容部１４と、果実又は種子を覆うための包囲体１６とを含む。包囲体１６は、一端側の側部のみが開放されている態様であってもよいし、両端の側部が開放されている態様であってもよい。
【００１９】
噴射部１２は、糸状に吐出するスプレーであれば特に限定されないが、乱糸スプレーガンであってもよい。果実又は種子を覆うための包囲体１６がある場合には、噴射部１２は、包囲体１６の内面に設けることができる。これにより、包囲体１６の内部に果実又は種子を入れて、噴射材料を噴射することで、より確実に果実又は種子の周囲に噴射材料を噴射することができる。噴射部１２は、複数有することができ、複数の噴射部１２は、包囲体１６の内面に、周状に並んでいることができる。周状に並んだ複数の噴射部１２の群を、複数段設けてもよい。
【００２０】
噴射部１２は、先を湾曲させることで、噴射材料が弧を描くように、噴射材料を噴射することができる。これにより、噴射材料を果実又は種子を取り囲むように噴射することが容易となる。なお、噴射部１２の先は直線状であってもよい。
【００２１】
噴射材料は、噴射された噴射材料が果実又は種子に接触すると密着する粘性を有する。噴射材料は、収容部１４内では液体であり、空気に触れると固化される材質からなることができ、たとえば、乳香からなることができる。
【００２２】
噴射材料は、たんぱく質や高分子樹脂などから構成することができる。高分子は、たんぱく質および高分子樹脂の少なくとも一方であることができる。たんぱく質としては、たとえば、人工で合成した蜘蛛の糸などを挙げることができる。高分子樹脂としては、たとえば、ポリイソブチルメタクリレートなどのアクリル樹脂などを挙げることができる。
【００２３】
収容部１４には、ガスが大気圧よりも高い圧力で封入されることができる。噴射材料は、フロンなどのガスを高圧で液化させたものと混ぜ合わせて収容部１４に収容しておき、収容部１４の圧力を下げることで、ひも状の樹脂を噴出することができる。界面活性剤を混ぜ合わせておくことで、気泡を含んだ浮遊性のある形に固めることができる。収容部１４は噴射材料を収容することができれば特に限定される、公知のスプレー缶と同様の構成をとることができる。
【００２４】
収容部１４から噴射部１２へは、公知の管路により接続してもよいし、噴射部１２を収容部１４に連結してもよい。
【００２５】
２．果実又は種子の収獲装置
実施の形態に係る果実又は種子の収獲装置１００は、棒状体２０と、実施の形態に係る飛散防止部材の生成装置１０とを含む。実施の形態に係る飛散防止部材の生成装置１０は、棒状体２０に取り付けられている。噴射部１２を棒状体２０の途中または先端に取り付けて構成することができる。噴射部１２を包囲体１６に設けた場合には、噴射部１２を棒状体２０の途中または先端に取り付けて構成することができる。棒状体２０としては、たとえば、竿や伸縮機構があるポールなどを挙げることができる。棒状体２０の把持部に噴射部１２のスイッチ２２を設けてもよい。噴射材料の収容部１４は、棒状体２０に設けることができる。
【００２６】
３．作用効果
果実又は種子の収穫装置１００は、包囲体１６の中に果実又は種子を入れ、噴射部１２から噴射材料を果実又は種子に噴射し、果実又は種子を纏めることができる。すなわち、噴射された噴射材料が果実又は種子に接触すると密着するため、果実又は種子同士を噴射材料により纏めることかできるか、又は、果実又は種子とその幹又は枝とを纏めることができる。
【００２７】
本実施の形態に係る飛散防止部材の生成装置および収獲装置は、果実又は種子のうち、複数の果実又は種子が集合したもの（たとえば房状のもの）に好適である。
【００２８】
本実施の形態は、本発明の範囲内において種々の変形が可能である。
【産業上の利用可能性】
【００２９】
本発明は、果実又は種子を収獲するための用途に広く適用することができる。
【符号の説明】
【００３０】
１０  果実又は種子の飛散防止部材の生成装置
１２  噴射部
１４  収容体
１６  包囲体
２０  棒状体
２２  スイッチ
１００  収穫装置
【図１】
2019068763.tif 000003
【図２】
2019068763.tif 000004
【図３】
2019068763.tif 000005
【図４】
2019068763.tif 000006
【図５】
2019068763.tif 000007